(57)【特許請求の範囲】
【請求項１】
ラッチ（６）を有するべら針（３）が設けられた編機の編みシステム（１）用シンカー（２）であって、
前記シンカーが、平坦な金属部で形成され、かつ動作中、針の長手方向に前後移動するべら針（３）に隣接配置された作業部（９）を有する本体（８）であって、押下縁（２０）とループ形成縁（２１）とが形成された凹部（１８）が設けられている本体（８）を有するとともに、動作中にカムに係合する駆動部（１０）をさらに備え、前記作業部（９）が少なくとも２つの厚さ領域（２３および２９）を有し、第１の厚さ領域（２３）の厚み（ｄ２）が、第２の厚さ領域（２９）の厚み（ｄ１）に比べて低減されており、前記押下縁（２０）が前記第１の厚さ領域（２３）に配置されており、前記ループ形成縁（２１）が前記第２の厚さ領域（２９）であって、前記凹部（１８）に隣接する前記押下縁（２０）の向かい側に配置されており、前記押下縁（２０）の厚み（ｄ２）が前記ループ形成縁（２１）の厚み（ｄ１）より薄く、突起（１９）が前記凹部（１８）に渡って延びており、前記押下縁（２０）が、前記凹部（１８）に隣接するこの突起（１９）に設けられており、
前記金属部が２つの平坦面（１４、１５）を有し、移行部が低減された厚み（ｄ２）を備えた前記第１の厚さ領域（２３）と、前記金属部の残りの部分との間に設けられ、さらに前記移行部が前記金属部の一方の平坦面（１４）のみに設けられている、シンカー。
【請求項２】
低減された前記厚み（ｄ２）を備えた前記第１の厚さ領域（２３）が、前記本体（８）の凹部（１８）に続くことを特徴とする請求項１に記載のシンカー。
【請求項３】
直線をたどる移行部が、低減された厚み（ｄ２）を備えた前記第１の厚さ領域（２３）と、前記金属部の残りの部分との間に設けられていることを特徴とする請求項１に記載のシンカー。
【請求項４】
段（２４、２５）の形状をした移行部が、低減された厚み（ｄ２）を備えた前記第１の厚さ領域（２３）と、前記金属部の残りの部分との間に設けられていることを特徴とする請求項１に記載のシンカー。
【請求項５】
ラッチ（６）を有するべら針（３）が設けられた編機の編みシステム（１）用シンカー（２）であって、
前記シンカーが、平坦な金属部で形成され、かつ動作中、針の長手方向に前後移動するべら針（３）に隣接配置された作業部（９）を有する本体（８）であって、押下縁（２０）とループ形成縁（２１）とが形成された凹部（１８）が設けられている本体（８）を有するとともに、動作中にカムに係合する駆動部（１０）をさらに備え、前記作業部（９）が少なくとも２つの厚さ領域（２３および２９）を有し、第１の厚さ領域（２３）の厚み（ｄ２）が、第２の厚さ領域（２９）の厚み（ｄ１）に比べて低減されており、前記押下縁（２０）が前記第１の厚さ領域（２３）に配置されており、前記ループ形成縁（２１）が前記第２の厚さ領域（２９）であって、前記凹部（１８）に隣接する前記押下縁（２０）の向かい側に配置されており、前記押下縁（２０）の厚み（ｄ２）が前記ループ形成縁（２１）の厚み（ｄ１）より薄く、突起（１９）が前記凹部（１８）に渡って延びており、前記押下縁（２０）が、前記凹部（１８）に隣接するこの突起（１９）に設けられており、
前記金属部が２つの平坦面（１４、１５）を有し、移行部が低減された厚み（ｄ２）を備えた前記第１の厚さ領域（２３）と、前記金属部の残りの部分との間に設けられ、さらに前記移行部が前記金属部の両平坦面（１４、１５）に設けられている、シンカー。
【発明の詳細な説明】
【背景技術】
【０００１】
本発明は、磨耗低減を示す編みシステム用シンカー（Sinker）に関する。
編み物の作製のため、シンカーを設けることができる編みシステムが通常用いられる。これらのシンカーは、旋回するように位置決めされたラッチを有する針、例えばべら針と一緒に動作する。
【０００２】
このタイプの編みシステムは特許文献１から既知であり、この編みシステム用シンカーは、ｕ形状凹部を有する平坦な金属部で構成されている。べら針はこの凹部を越えて、直角の方向に移動される。同様にべら針のラッチもシンカーの規定領域を越えて移動する。
【０００３】
シンカーとべら針とが接触するたびに、特にラッチがシンカーと接触する場合には磨耗を生じることになる。例えば丸編機で用いられる針のラッチは、針シャンク内に比較的小さい遊びを有して位置決めされた新たな針上でも、遠心力および慣性力の結果として側方に反れる。この反りは、連続磨耗およびラッチ遊びの増加の結果として、針の耐用年数にわたり増加する。シンカーおよびラッチの磨耗の増加に伴って、シンカーおよびべら針の交換が必要になる恐れがある。確かに特許文献２は、生じる磨耗を低減するために、そしてその代わりに糸と接触する前部の厚みを低減するために、シンカーカムに係合するシンカー部のシートメタル厚みを増加させることを提案している。しかし前部のシートメタル厚みをあまり低減することができないが、それはそのような低減が、シンカーの必要な安定性および／または剛軟度ならびに用いる糸の切断感度により限定されるからである。
【先行技術文献】
【特許文献】
【０００４】
【特許文献１】欧州特許第０５７０３２０Ｂ１号明細書
【特許文献２】欧州特許第０５７０３４０Ｂ１号明細書
【発明の概要】
【発明が解決しようとする課題】
【０００５】
そのため本発明の目的は、摩耗が低減されたシンカーを作製することである。
【課題を解決するための手段】
【０００６】
この目的は請求項１および５に係るシンカーで解決される。
【０００７】
本発明に係るシンカーおよび／または本発明に係る押下要素には、種々の厚みの２つの領域を有する作業部が設けられている。この場合の厚みが低減された領域は、隣接するべら針のラッチが、編みシステム動作中に、部分的または完全に移動する領域である。
【０００８】
作業部上に異なる厚みを有する領域を設けることにより、シンカー、針および編みシステム全体の磨耗を低減することが可能である。特に、厚みが低減されたシンカー領域と、編機内で隣接配置された針の前後移動ラッチとの間の距離を増加することができる。シンカーとべら針との間の接触の危険性が低減される。同様にシンカーおよびべら針の磨耗も低減され、これは、新しい針および特に非常に微細な針ゲージを有するものにも当てはまる。摩耗の増大およびより大きいラッチ遊びの結果として、針のラッチおよび針自体の側への反りが、針の耐用年数にわたって増加する。この点で、シンカーおよび針のより長い利用期間により、本発明に係るシンカーの利点が増す。
【０００９】
シンカー上のより大きい厚さを有する領域とより小さい厚さを有する領域との間の移行領域は、シンカーによって保持されるループがより大きい厚さを有するシンカー領域の縁によって支持されるように固定されることが好ましい。例えば本発明に係るシンカーは、糸またはループを適所に保持するための、上部と平行に実施される凹部を有する、ひっくり返しおよび押下シンカーとして実施され、上部が上縁により閉鎖する。厚みが低減された領域が上部縁で終端することが好ましい。この場合のシンカーを、一方の平坦面（片側）で、または両方の平坦面（両側）でオフセットまたは少なくとも面取りすることができる。両側オフセットシンカーは丸編機で好適に用いられ、この場合動作移動は往復移動に相当可能であり、これは左右に向くことができることを意味する。加えて、両平坦面でオフセットされたシンカーは、横編機で用いるのに適している。対照的に、丸編機が主に一回転動作方向を有する場合には、片側厚さ低減が有意義であり得る。この場合の片側低減は、より深くすることで実施可能である。そのため、両側オフセットシンカーの厚さ低減は、一方側のみで実施でき、ラッチの反りのためにより大きい空間を生じる。
【００１０】
適当な再形成によりまたは接合プロセスを用いて、例えば異なる厚みのシートメタル部を溶接することによって、シンカーをシートメタル片から作製することができる。選択された具体的な作製方法とは関係なく、確実に厚みが低減された領域と厚みが増大された領域との間のいかなる移行縁も、慎重に丸くすることが有利である。
【００１１】
本発明の有利な実施形態のさらなる詳細は、図面、明細書または特許請求の範囲の主題である。本願明細書は本発明の基本的な態様および他の事実に限定されている。図面は本願明細書を補足するものである。
【図面の簡単な説明】
【００１２】
【図１】べら針およびシンカーを有する編成機の概略的斜視図である。
【図２】前面から見た、図１に従うシンカーである。
【図３】側面から見た、図１に従うシンカーである。
【図４】拡大図の、図２に従うシンカーである。
【図５】図４に相当する図の、シンカーの代替実施形態である。
【図６】図４に相当する図の、シンカーの代替実施形態である。
【図７】図３に示した実施形態に相当する、シンカーの変更実施形態である。
【発明を実施するための形態】
【００１３】
図１に図示する編みシステム１は、並んで配置されたシンカー２とべら針３とを備える。編機には一般に、このタイプの複数の並列配置の編みシステム１が設けられている。例えば方向Ｘに移動するようにシンカー２を配置することができる。べら針３は方向Ｙに移動するように位置決めされている。方向ＸおよびＹは例えば互いに直角に位置決めされている。シンカー２およびべら針３は、適当なホルダ形状のガイド内に位置決めされているが、本明細書にはさらに詳細には示さない。このタイプのホルダは、例えば丸編機に見られるタイプの編成シリンダ、リップドディスク（ｒｉｐｐｅｄ  ｄｉｓｋｓ）およびシンカー支持リングである。シンカー２をべら針３に対して、図１に示した角度とは異なる角度で配置することもできる。方向ＸおよびＹの編成具の移動を生じる例えばカム形状の駆動手段はさらに、シンカー２およびべら針３である２つの編成具に割り当てられる。編成具の移動路は調整されるとともに、直線または曲線のいずれかに沿うことができる。
【００１４】
べら針３は、一端のフック５とラッチ６とを有する細長シャンク４を有し、ラッチ６はフック５付近に配置されるとともに、枢軸７を中心に旋回できるようにべら針３のシャンク４上に位置決めされている。シンカー２は、基本的に平坦な金属部、例えば平坦シートメタル部で構成される本体８を有する。本体８は作業部９と駆動部１０とを備える。作業部９は、編成される織物のループおよびべら針３と協働する。駆動部１０は、シンカー２を方向Ｘに移動させる駆動装置として機能する。駆動部１０にはこのために駆動領域、例えば内部に配置されたバット１１が設けられている。
【００１５】
図１に示す例示的実施形態の駆動領域の高さｈは、シンカー２の全高Ｈより低い。バット１１はカム内に係合するが、カムは本明細書にさらに詳細に示さない。方向Ｘに対して直角に延びるとともに、バット１１上および適用可能である場合には駆動領域の縁３０上に実施される縁１２および／または１３は、カムの湾曲トラック、いわゆるカムトラックに接続されているとともに、カムが針床に対してある方向に移動される場合にはシンカー２を方向Ｘに移動させる。
【００１６】
本例示的実施形態の場合、作業部９および駆動部１０のシートメタル厚みは同じである。この厚みｄ１は図２および４に別に図示されている。厚みｄ１を、シンカー２の２つの好適に平行な平坦面１４および１５間で測定しなければならない。
【００１７】
図１および３に図示するようにシンカー２には、シンカー２の下方狭面により形成されるシンカー背面１６、例えば直線背面が設けられている。シンカー背面１６は、べら針３のフック５に隣接配置されたシンカーの上縁１７と反対側に位置決めされている。上縁１７とシンカー背面１６との間で、シンカー２には方向Ｘに開口するＵ字形状の凹部１８が設けられている。突起１９がこの口状開口にわたり延びており、シンカーの上縁１７によって上部の境界が画定されるとともに、凹部１８のＵ形状縁の１つの脚を形成する押下縁２０の一部によって下部の境界が画定されている。
【００１８】
押下縁２０の向かい側に配置されているのは、Ｕ形状凹部１８の他方の脚を形成する好適に直線且つ幾分長い縁２１、いわゆるループ形成部である。押下縁２０とループ形成縁２１との間には丸い溝２２が形成されている。
【００１９】
シンカー２の作業部９は第１の厚さ領域２３、図４〜６に見られるようにそれぞれ厚みｄ２が低減された帯域を有する。この第１の厚さ領域２３はループ縁２１の上方に配置されている。加えて作業部９は、厚みが第１の厚さ領域２３を超える第２の厚さ領域２９を有する。そのため、ループをひっくり返すように機能するループ形成縁２１の厚みｄ１は、第１の厚さ領域２３の厚みを超える。特にラッチ６を有する針３はこの第１の厚さ領域２３のそばを通過して、ループ形成動作を実行する。図４に特に示すように、領域２３は例えば２つの段２４、２５を介して残りの作業部９に移行する。２つの段２４、２５は好適には同一高さであるとともに、互いに平行に配向されている。図１および３に示すように、２つの段２４、２５を直線状に実施することができるとともに、さらに図４に示すように慎重に丸くされる。２つの段２４、２５は図３に示すように押下縁２０と位置合わせされるか、または溝２２と接することができる。２つの段２４、２５は、例えば縁２０の上方に異なる状態で配置することもできる。
【００２０】
シンカー２は編成動作中に、編地を押下し、かつループをひっくり返すなどの２つの異なる仕事に対応できる。このプロセスではべら針３は方向Ｙに移動し、ラッチ６は旋回運動を実行する。領域２３の厚みｄ２が低減されているため、ラッチ６がシンカー２と接触する恐れは、特に領域２３において低下しているかまたはなくなる。針およびシンカーの磨耗はそのため低減するとともに、編みシステムの信頼性が向上する。
【００２１】
段２４、２５は、図４に従う実施形態の場合それぞれ同じ幅を有する。換言すればシンカー２の作業部９は、仮想垂直中心面に対して鏡面対称に実施される。しかし段２４、２５は必要に応じて異なる幅を有することもできるため、シンカー２は中心面に対して非対称に実施される。図５のシンカー２ａの場合のように、シンカーに片側に１つの段のみを設けることも十分であり得る。シンカー２ａの作業部９にはまた、異なる厚みを有する２つの帯域、すなわち厚みｄ２を有する領域２３および厚みｄ１を有する作業部９の残りの部分が設けられる。
【００２２】
厚みが低減された領域２３はまた、シンカーの上縁１７全体に沿って延びることができる。加えて、段２５はまた、凹部１８または縁２０の高さに配置されることが好適である。平坦面１５および領域２３の平坦面は、対をなして且つ互いに平行に配向される。しかし図６に従うシンカー２ｂの場合のように、領域２３の側面２６、２７を互い対して鋭角に配置することも可能である。この場合シンカー２ｂは、移行点２８からシンカーの上縁１７に向かって細くなっている。領域２３は楔状断面を有する。段２４、２５は省略、または高さが低減されている。他は上記の説明が適用される。
【００２３】
多数の変更例が可能である。例えば段２４、２５は図７に示すように直線から外れることができる。段２５は、上シンカー縁１７または他の箇所のいずれかでシンカーの縁に接することができる。
【００２４】
上記の実施形態のすべての場合と同様に、この場合もループ形成縁として実施される縁２１がより幅広いことが好適であることは真実である。換言すれば縁２１は縁２０より大きい厚さを有する。縁２１は例えば幅ｄ１を有するため相当な糸支持面を提供する一方で、縁２０はそれに対応してより狭くなる。その結果、領域２３の厚さの低減はべら針３、特にそのラッチ６の摩耗の低減をもたらす。縁２１における糸支持面は丸みが付けられるとともに、良好な糸支持を提供する幅を有する。押下縁２０も糸を扱いやすくなるように丸みが付けられている。
【００２５】
本発明に従う一例示的実施形態（本明細書に図示せず）は、さらなる厚さ領域、作業部９の領域内の第２の厚さ低減を有することができる。しかし本発明に従うすべての実施形態の共通特徴は、領域２３がループ形成縁２１の厚みｄ１よりも厚みｄ２が低減され、領域２３がループ形成縁２１の上方に配置されているということである。領域２３の厚みｄ２はループ形成縁２１の厚みの３分の１になることが好ましい。領域２３の厚みｄ２はループ形成縁２１の厚みの半分になり得るとともに、特定の用途の場合さらに小さくなってもよい。シンカー２にはその作業部９上に厚みの低減された領域２３が提案される。そのため隙間状の作業空間が、シンカー２の少なくとも一方側上に作製される。この隙間空間により、シンカー２とべら針３との間の間隔を低減すること、またはこれらの２つの要素間の磨耗を低減することも可能になる。隙間空間はさらにまた、シンカーとシンカーの他方側のべら針との間の距離に影響しない。シンカー２は各側に１つの隙間空間をそれぞれ好適に有するため、シンカーを両回転方向用に設計された丸編機で使用することができる。
【符号の説明】
【００２６】
１  編みシステム
２  シンカー
３  べら針
Ｘ、Ｙ  方向
４  シャンク
５  フック
６  ラッチ
７  軸
８  本体
９  作業部
１０  駆動部
１１  バット
１２、１３  縁
ｄ１、ｄ２  厚み
１４、１５  平坦面
１６  シンカー背面
１７  シンカーの上縁
１８  凹部
１９  突起
２０  押下縁、縁
２１  ループ形成縁、縁、ループ形成部
２２  溝
２３  第１の厚さ領域
２４、２５  段
２６、２７  側面
２８  移行領域
２９  第２の厚さ領域
３０  縁
【図１】
0005608616.tif 000002
【図２】
0005608616.tif 000003
【図３】
0005608616.tif 000004
【図４】
0005608616.tif 000005
【図５】
0005608616.tif 000006
【図６】
0005608616.tif 000007
【図７】
0005608616.tif 000008